Podtech/llm-jp-corpus-v4-ja_patent huggingface dataset:
【誤訳訂正書】
【提出日】平成20年6月11日(2008.6.11)
【誤訳訂正１】
【訂正対象書類名】特許請求の範囲
【訂正対象項目名】全文
【訂正方法】変更
【訂正の内容】
【特許請求の範囲】
【請求項１】
表面（Ｓ）、例えば皮膚、爪、毛、又は口唇にメイクアップを施与するためのキットであって、
金属の鉄の粒子、特に軟鉄を含む第一化粧料組成物（Ｃ１）；及び
第一組成物（Ｃ１）を被覆するための、又は第一組成物（Ｃ１）により被覆されるための第二化粧料組成物（Ｃ２）
を含むキット。
【請求項２】
表面（Ｓ）、例えば皮膚、爪、毛、又は口唇にメイクアップを施与するためのキットであって、
磁場の影響下で可動性である磁性粒子を含む第一化粧料組成物（Ｃ１）；
第一組成物（Ｃ１）を被覆するための、又は第一組成物（Ｃ１）により被覆されるための第二化粧料組成物（Ｃ２）；
第一組成物が表面（Ｓ）に少なくとも１の層の形で施与されるとき、磁性粒子のすべて又は一部の配向を変える及び／又は変更することを可能にする磁場を作り出す磁性デバイス（１０）
を含むキット。
【請求項３】
第二組成物が第一組成物を被覆するためのものであることを特徴とする、請求項１又は２のいずれか１項に記載のキット。
【請求項４】
第二組成物が透明であることを特徴とする、請求項１又は２のいずれか１項に記載のキット。
【請求項５】
第一組成物（Ｃ１）の外観を変更することを可能にする磁場を作り出すための磁性デバイス（１０）を含むことを特徴とする、請求項１に記載のキット。
【請求項６】
第一組成物（Ｃ１）がマニュキア液又は口紅であることを特徴とする、請求項１〜５のいずれか１項に記載のキット。
【請求項７】
磁性粒子（Ｐ）が非球状であることを特徴とする、請求項１〜６のいずれか１項に記載のキット。
【請求項８】
磁性デバイス（１０）が、第一組成物（Ｃ１）が堆積された表面（Ｓ）に相対的に磁性デバイスが位置付けられることを可能にする部材（１７）を含むことを特徴とする、請求項２又は５に記載のキット。
【請求項９】
表面（Ｓ）、例えば皮膚、爪、毛、又は口唇にメイクアップを施与する方法において、以下の工程を含む方法：
表面（Ｓ）に流動状態の少なくとも第一化粧料組成物及び第二化粧料組成物を堆積させる工程、ただし第一化粧料組成物は第二組成物を少なくとも部分的に被覆するか又は第二組成物により少なくとも部分的に被覆され、第一組成物（Ｃ１）は、磁場の影響下で可動性である磁性粒子（Ｐ）を含む；及び
第一組成物（Ｃ１）の少なくとも一部を磁場に暴露して、磁性粒子（Ｐ）の少なくとも一部の配向を変化させる及び／又は該一部を移動させる工程。
【請求項１０】
磁場がかけられて、第一組成物（Ｃ１）の上に少なくとも１の模様を形成することを特徴とする、請求項９に記載の方法。
【誤訳訂正２】
【訂正対象書類名】明細書
【訂正対象項目名】０００１
【訂正方法】変更
【訂正の内容】
【０００１】
本発明は、表面、例えば皮膚、爪、毛、口唇、又は付け爪さえにメイクアップを施与するためのキットに関し、メイクアップを施与する方法にもまた関する。
【誤訳訂正３】
【訂正対象書類名】明細書
【訂正対象項目名】０００４
【訂正方法】変更
【訂正の内容】
【０００４】
メイクアップを施与するためのキット
本発明の側面の一つに従うと、本発明は、表面、例えば皮膚、爪、毛、又は口唇にメイクアップを施与するためのキットを提供し、該キットは、
金属の鉄の粒子、特に軟鉄を含む第一化粧料組成物（Ｃ１）；及び
第一組成物（Ｃ１）を被覆するための、又は第一組成物（Ｃ１）により被覆されるための第二化粧料組成物（Ｃ２）
を含む。
【誤訳訂正４】
【訂正対象書類名】明細書
【訂正対象項目名】０００５
【訂正方法】変更
【訂正の内容】
【０００５】
本発明の別の側面に従うと、本発明は表面、例えば皮膚、爪、毛、口唇、又は付け爪さえにメイクアップを施与するためのキットであって、
磁場の影響下で可動性である磁性粒子を含む第一化粧料組成物；
第一組成物を被覆する、又は第一組成物により被覆されるための第二化粧料組成物を含み、
第一組成物が該表面に少なくとも１の層の形で施与されたとき、磁性粒子のすべて又は一部の配向を移動させる及び／又は変更することを可能にする磁場を作り出すための磁性デバイス
をもまた含むキットを提供することである。
【誤訳訂正５】
【訂正対象書類名】明細書
【訂正対象項目名】０１５０
【訂正方法】変更
【訂正の内容】
【０１５０】
他の成分
典型的には、化粧料組成物は生理学的に許容される媒体を含む。用語「生理学的に許容される媒体」は、ヒトの皮膚、爪、毛、又は口唇に施与されることのできる非毒性の媒体を意味する。生理学的に許容される媒体は、組成物が施与される表面の性質及び組成物が包装される形態に一般的に適合されている。
【誤訳訂正６】
【訂正対象書類名】明細書
【訂正対象項目名】０２２１
【訂正方法】変更
【訂正の内容】
【０２２１】
図１は、表面、例えば皮膚、口唇、爪、毛、又は付け爪にさえに堆積された後、組成物の外観に影響を及ぼす配向及び／又は位置を有する磁性粒子Ｐを含む第一組成物Ｃ１を含むキット１を示す。
【手続補正書】
【提出日】平成20年10月6日(2008.10.6)
【手続補正１】
【補正対象書類名】特許請求の範囲
【補正対象項目名】請求項５０
【補正方法】変更
【補正の内容】
【請求項５０】
病原性因子による感染を治療し又は予防する下記(ｉ)及び(ii)を含むトランス作用性核酸を含む薬剤であって：
(ｉ)病原体又は患者の標的遺伝子にハイブリダイズすることができて、該標的遺伝子の発現を調節するターゲティング配列(該標的遺伝子は、病原体による感染の維持、統合、再現、毒性又は拡大に必須である)；及び
(ii)リガンドに結合するアプタマー配列(該リガンドの濃度は、該病原体の存在に依存する)、
患者に、十分量のトランス作用性核酸を投与することで、該リガンドの該アプタマーへの結合が、該核酸にコンホメーション変化を誘導し、該核酸は、該標的遺伝子の発現を、リガンド誘導されたコンホメーション変化に依存する様式で調節して、該病原体による感染を低減させ又は阻止する薬剤。
【手続補正２】
【補正対象書類名】特許請求の範囲
【補正対象項目名】請求項５１
【補正方法】変更
【補正の内容】
【請求項５１】
患者の細胞における、細胞の成長、分化又は生存力の表現型の調節を引き起こす下記(ｉ)及び(ii)を含むトランス作用性核酸を含む薬剤であって：
(ｉ)該患者の細胞中の標的遺伝子にハイブリダイズすることができて、該標的遺伝子の発現を調節するターゲティング配列(該標的遺伝子の発現は、細胞の成長、分化又は生存力を変化させる)；及び
(ii)リガンドに結合するアプタマー配列(該リガンドの濃度は、細胞の表現型に依存する)、
該患者の細胞に導入することで、該リガンドの該アプタマーへの結合が、該核酸におけるコンホメーション変化を誘導し、該核酸は、該標的遺伝子の発現を、細胞の成長、分化又は生存力を該リガンドの非存在下と比較して変えるように、リガンド誘導されたコンホメーション変化に依存する様式で調節する薬剤。
【手続補正３】
【補正対象書類名】特許請求の範囲
【補正対象項目名】請求項５２
【補正方法】変更
【補正の内容】
【請求項５２】
細胞死を、前記のリガンドの存在に依存する様式で誘導するために利用される、請求項５１に記載の薬剤。
【手続補正４】
【補正対象書類名】特許請求の範囲
【補正対象項目名】請求項５３
【補正方法】変更
【補正の内容】
【請求項５３】
細胞死を、前記のリガンドの存在に依存する様式で防止するために利用される、請求項５１に記載の薬剤。
【手続補正５】
【補正対象書類名】特許請求の範囲
【補正対象項目名】請求項５４
【補正方法】変更
【補正の内容】
【請求項５４】
分化を、前記のリガンドの存在に依存する様式で誘導するために利用される、請求項５１に記載の薬剤。
【手続補正６】
【補正対象書類名】特許請求の範囲
【補正対象項目名】請求項５５
【補正方法】変更
【補正の内容】
【請求項５５】
分化を、前記のリガンドの存在に依存する様式で阻止するために利用される、請求項５１に記載の薬剤。
【手続補正７】
【補正対象書類名】特許請求の範囲
【補正対象項目名】請求項５６
【補正方法】変更
【補正の内容】
【請求項５６】
過形成又は腫瘍細胞の成長を防止するために利用する、請求項５１、５２又は５４に記載の薬剤。
【手続補正８】
【補正対象書類名】特許請求の範囲
【補正対象項目名】請求項５７
【補正方法】変更
【補正の内容】
【請求項５７】
患者における脂肪細胞を低減させるために利用される、請求項５１、５２又は５４に記載の薬剤。
【手続補正９】
【補正対象書類名】特許請求の範囲
【補正対象項目名】請求項５８
【補正方法】変更
【補正の内容】
【請求項５８】
幹細胞の成長及び分化を調節するために利用する、請求項５１、５４又は５５に記載の薬剤。
【手続補正１０】
【補正対象書類名】特許請求の範囲
【補正対象項目名】請求項５９
【補正方法】変更
【補正の内容】
【請求項５９】
免疫応答の活性化を調節するために利用される、請求項５１に記載の薬剤。
【手続補正１１】
【補正対象書類名】特許請求の範囲
【補正対象項目名】請求項６０
【補正方法】変更
【補正の内容】
【請求項６０】
前記のトランス作用性核酸、又は該トランス作用性核酸を転写するための発現構築物を、前記の患者に移植される細胞に、エキソ・ビボで導入する、請求項５１、５８又は５９に記載の薬剤。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
ポリマー系及び少なくとも１重量％のチョコレートを含むタフィーガムであって、前記ポリマー系が該タフィーガムの少なくとも１０重量％を構成し、前記ポリマー系の少なくとも７０重量％がポリビニルアセテートを含み、該ポリビニルアセテートが０〜６０℃の範囲のガラス転移温度（Ｔｇ）を有し、そして前記チョコレートが該タフィーガムの多くても９０重量％を構成する、タフィーガム。
【請求項２】
前記ポリビニルアセテートの前記ガラス転移温度（Ｔｇ）が１８〜５５℃の範囲、好ましくは２５〜４０℃の範囲である、請求項１記載のタフィーガム。
【請求項３】
少なくとも１つの風味剤及び少なくとも１つの甘味剤を含む、請求項１又は２に記載のタフィーガム。
【請求項４】
前記ポリマー系が前記タフィーガムの少なくとも１２重量％を構成する、請求項１〜３のいずれか一項に記載のタフィーガム。
【請求項５】
前記ポリマー系がポリビニルアセテート単独により実質的に形成される、請求項１〜４のいずれか一項に記載のタフィーガム。
【請求項６】
前記ポリビニルアセテートが１，０００〜２５０，０００ｇ／ｍｏｌの範囲、好ましくは２，０００〜１００，０００ｇ／ｍｏｌの範囲、最も好ましくは１５，０００〜６０，０００ｇ／ｍｏｌの範囲の分子量（Ｍｗ）を有する、請求項１〜５のいずれか一項に記載のタフィーガム。
【請求項７】
前記ポリマー系の多くても３０重量％、好ましくは多くても１０重量％が４０，００１〜２００，０００ｇ／ｍｏｌの範囲の分子量（Ｍｗ）を有するポリビニルアセテートである、請求項１〜６のいずれか一項に記載のタフィーガム。
【請求項８】
前記ポリマー系が４重量％未満の約５０，０００〜９９，９９９ｇ／ｍｏｌの分子量（Ｍｗ）を有するポリマーを含む、請求項１〜７のいずれか一項に記載のタフィーガム。
【請求項９】
前記ポリマー系が２重量％未満の約１００，０００〜１９９，９９９ｇ／ｍｏｌの分子量（Ｍｗ）を有するポリマーを含む、請求項１〜８のいずれか一項に記載のタフィーガム。
【請求項１０】
前記ポリマー系が１重量％未満の約２００，０００〜３９９，９９９ｇ／ｍｏｌの分子量（Ｍｗ）を有するポリマーを含む、請求項１〜９のいずれか一項に記載のタフィーガム。
【請求項１１】
前記ポリマー系が０．５重量％未満の約３９９，０００〜８００，０００ｇ／ｍｏｌの分子量（Ｍｗ）を有するポリマーを含む、請求項１〜１０のいずれか一項に記載のタフィーガム。
【請求項１２】
前記ポリマー系がエラストマーを実質的に含有しない、請求項１〜１１のいずれか一項に記載のタフィーガム。
【請求項１３】
前記タフィーガム物質がコアを形成しており、そして前記少なくとも１つのチョコレート構成単位のうちの少なくとも１つが前記コア中に置かれる、請求項１〜１２のいずれか一項に記載のタフィーガム。
【請求項１４】
前記チョコレートが前記タフィーガムの５〜８０重量％、好ましくは１０〜６０重量％の範囲の量で付与される、請求項１〜１３のいずれか一項に記載のタフィーガム。
【請求項１５】
前記チョコレートが該チョコレートの１５〜９０重量％の量でココアバターを含む、請求項１〜１４のいずれか一項に記載のタフィーガム。
【請求項１６】
前記チョコレートが液体チョコレート、固体チョコレート及び粉末チョコレート又はその任意の組合せから成る群から選択される、請求項１〜１５のいずれか一項に記載のタフィーガム。
【請求項１７】
前記タフィーガムの１〜２５重量％、好ましくは５〜２０重量％の量で少なくとも１つのポリオールのシロップを含む、請求項１〜１６のいずれか一項に記載のタフィーガム。
【請求項１８】
約０．００１〜３０重量％の量で前記少なくとも１つの風味剤を、そして約５〜８０重量％の量で前記少なくとも１つの甘味剤を含む、請求項１〜１７のいずれか一項に記載のタフィーガム。
【請求項１９】
前記少なくとも１つの甘味剤が糖を含む、請求項１〜１８のいずれか一項に記載のタフィーガム。
【請求項２０】
前記少なくとも１つの甘味剤が人工甘味剤である、請求項１〜１９のいずれか一項に記載のタフィーガム。
【請求項２１】
外部コーティングを施される、請求項１〜２０のいずれか一項に記載のタフィーガム。
【請求項２２】
中心充填される、請求項１〜２１のいずれか一項に記載のタフィーガム。
【請求項２３】
圧縮される、請求項１〜２２のいずれか一項に記載のタフィーガム。
【請求項２４】
生成物がバッチプロセスにより製造される、請求項１〜２３のいずれか一項に記載のタフィーガムの製造方法。
【請求項２５】
生成物が押出プロセスにより製造される、請求項１〜２３のいずれか一項に記載のタフィーガムの製造方法。
【請求項２６】
チョコレートによる請求項１〜２３のいずれか一項に記載のタフィーガムのコーティング方法であって、液体形態のチョコレートをタフィーガムコアの表面に塗布する工程と、該液体チョコレートを硬化させる温度に該チョコレート被覆タフィーガムを付す工程とを含む、コーティング方法。
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
ポリマー系、風味剤、及び甘味剤からなる菓子製品であって、
該菓子製品の少なくとも２０重量％が実質的に非エラストマー性のポリマーを含み、前記菓子製品の約５重量％未満がエラストマー性ポリマーのうちの１種又はその組合せを含み、
前記菓子製品を約１Ｈｚの周波数で測定した場合に、１を上回る正接（δ）（ここで、正接（δ）は（損失弾性率Ｇ”／貯蔵弾性率Ｇ’）と定義する）を有することを特徴とする菓子製品。
【請求項２】
０．１〜１０Ｈｚの周波数で測定した場合に１〜１０の範囲の正接（δ）を有する、請求項１記載の菓子製品。
【請求項３】
約１Ｈｚの周波数で測定した場合に、前記貯蔵弾性率Ｇ’が約４０，０００Ｐａより低い、請求項１又は２に記載の菓子製品。
【請求項４】
前記貯蔵弾性率Ｇ’が咀嚼プロセスの少なくとも一部の間に低減する、請求項１〜３のいずれかに記載の菓子製品。
【請求項５】
前記損失弾性率Ｇ”が前記咀嚼プロセスの少なくとも一部の間に低減する、請求項１〜４のいずれかに記載の菓子製品。
【請求項６】
前記ポリマー系の少なくとも約７０重量％が実質的に非エラストマー性のポリマーを含み、前記ポリマー系の約１５重量％未満がエラストマー性ポリマーのうちの１種又はその組合せを含む、請求項１〜５のいずれかに記載の菓子製品。
【請求項７】
前記エラストマー性ポリマーが、スチレンブタジエンゴム（ＳＢＲ）、ポリイソブチレン（ＰＩＢ）、イソブチレン−イソプレンゴム（ＩＩＲ）、ポリイソプレン、天然ゴム及びその任意の組合わせを含む、請求項１〜６のいずれかに記載の菓子製品。
【請求項８】
３重量％未満の前記エラストマー性ポリマーを含む、請求項１〜７のいずれかに記載の菓子製品。
【請求項９】
前記ポリマー系が、該ポリマー系の７０〜１００重量％の範囲の量で少なくとも１種の実質的に非エラストマー性のポリマーを含む、請求項１〜８のいずれかに記載の菓子製品。
【請求項１０】
前記エラストマー性ポリマーを実質的に含有しない、請求項１〜９のいずれかに記載の菓子製品。
【請求項１１】
前記ポリマー系が約５０，０００〜９９，９９９ｇ／ｍｏｌの分子量（Ｍｗ）を有する４重量％未満のポリマーを含む、請求項１〜１０のいずれかに記載の菓子製品。
【請求項１２】
前記ポリマー系が約１００，０００〜１９９，９９９ｇ／ｍｏｌの分子量（Ｍｗ）を有する２重量％未満のポリマーを含む、請求項１〜１１のいずれかに記載の菓子製品。
【請求項１３】
前記ポリマー系が約２００，０００〜３９９，９９９ｇ／ｍｏｌの分子量（Ｍｗ）を有する１重量％未満のポリマーを含む、請求項１〜１２のいずれかに記載の菓子製品。
【請求項１４】
前記ポリマー系が約３９９，０００〜８００，０００ｇ／ｍｏｌの分子量（Ｍｗ）を有する０．５重量％未満のポリマーを含む、請求項１〜１３のいずれかに記載の菓子製品。
【請求項１５】
前記菓子製品の２〜８０重量％の量で甘味剤を含む、請求項１〜１４のいずれかに記載の菓子製品。
【請求項１６】
前記甘味剤が糖を含む、請求項１〜１５のいずれかに記載の菓子製品。
【請求項１７】
前記甘味剤がバルク甘味剤を含む、請求項１〜１６のいずれかに記載の菓子製品。
【請求項１８】
３０重量％未満の充填剤を含む、請求項１〜１７のいずれかに記載の菓子製品。
【請求項１９】
前記非エラストマー性ポリマーがＰＶＡを含む、請求項１〜１８のいずれかに記載の菓子製品。
【請求項２０】
前記非エラストマー性ポリマーが低分子量ＰＶＡを含み、該低分子量ＰＶＡが約５０，０００ｇ／ｍｏｌ未満の分子量（Ｍｗ）を有する、請求項１〜１９のいずれかに記載の菓子製品。
【請求項２１】
前記非エラストマー性ポリマーが天然樹脂又は合成樹脂を含む、請求項１〜２０のいずれかに記載の菓子製品。
【請求項２２】
前記ポリマー系が約９，０００〜３０，０００ｇ／ｍｏｌの分子量（Ｍｗ）を有する少なくとも１種の低分子量ＰＶＡを含む、請求項１〜２１のいずれかに記載の菓子製品。
【請求項２３】
前記ポリマー系の約７０〜９９重量％の量で約２，０００〜４０，０００ｇ／ｍｏｌの分子量（Ｍｗ）を有する少なくとも１種の低分子量ＰＶＡを含む、請求項１〜２２のいずれかに記載の菓子製品。
【請求項２４】
前記菓子製品の前記ポリマー系が少なくとも約９０重量％のポリビニルアセテートを含む、請求項１〜２３のいずれかに記載の菓子製品。
【請求項２５】
前記ポリマー系がポリビニルアセテート（単数又は複数）単独により実質的に形成される、請求項１〜２４のいずれかに記載の菓子製品。
【請求項２６】
タフィーガムである、請求項１〜２５のいずれかに記載の菓子製品。
【請求項２７】
前記ポリマー系が、
約２，０００〜４０，０００ｇ／ｍｏｌの分子量（Ｍｗ）を有する少なくとも１種の低分子量ＰＶＡ、及び
４０，００１〜２００，０００ｇ／ｍｏｌの分子量（Ｍｗ）を有する少なくとも１種の高分子量ＰＶＡ
を含む、請求項１〜２６のいずれかに記載の菓子製品。
【請求項２８】
ポリビニルアセテート（ＰＶＡ）を含む少なくとも約７０重量％の前記ポリマー系を含み、該ポリマー系の１０重量％未満が約５０，０００ｇ／ｍｏｌより大きい分子量（Ｍｗ）を有するポリマーを含む、請求項１〜２７のいずれかに記載の菓子製品。
【請求項２９】
前記ポリマー系が３０重量％未満の可塑剤を含む、請求項１〜２８のいずれかに記載の菓子製品。
【請求項３０】
１０重量％未満の可塑剤を含む、請求項１〜２９のいずれかに記載の菓子製品。
【請求項３１】
約５〜約９９重量％の量のポリマー系、
約０．００１〜約３０重量％の量の風味剤、及び
約５〜約８０重量％の量の甘味剤
からなる、請求項１〜３０のいずれかに記載の菓子製品。
【請求項３２】
前記菓子製品の約１０〜約９９重量％の量でポリマー系を含む、請求項１〜３１のいずれかに記載の菓子製品。
【請求項３３】
前記風味剤が実質的に油ベースの風味剤及び／又は実質的に親水性の風味剤からなる、請求項１〜３２のいずれかに記載の菓子製品。
【請求項３４】
約１／４グラム〜約１０グラムの重量である、請求項１〜３３のいずれかに記載の菓子製品。
【請求項３５】
コーティングを含む、請求項１〜３４のいずれかに記載の菓子製品。
【請求項３６】
活性成分を含む、請求項１〜３５のいずれかに記載の菓子製品。
【請求項３７】
バッチプロセス、押し出しプロセス、又は、圧縮プロセスにより製造される、請求項１〜３６のいずれかに記載の菓子製品。
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
注射可能なマイクロカプセル化細胞の作製方法であって、
（ａ）静電ポテンシャルを、１タイプ以上のモノマーを含む第１の溶液に懸濁された細胞の小滴に印加すること（ここで、静電ポテンシャルは、小滴の表面張力を破壊するのに十分な量である）、及び
（ｂ）約２００μｍ未満の平均直径の細胞、好ましくは哺乳類細胞をカプセル化した構造を作製するのに十分な距離から、小滴を重合溶液中に落下することを含み、該重合溶液は、好ましくは少なくとも２０ｍＭの濃度の、例えば二価カチオンなどの、１タイプ又は複数タイプのモノマーの重合を促進する重合剤、及び、例えばグルコースなどの栄養価を持つ浸透圧調節物質を含む、前記方法。
【請求項２】
前記第１の溶液が、アルギン酸塩、アガロース、ヒアルロン酸、コラーゲン、合成モノマー、アルブミン、フィブリノーゲン、フィブロネクチン、ビトロネクチン、ラミニン、デキストラン、デキストラン硫酸、コンドロイチン硫酸、デルマタン硫酸、ケラタン硫酸、キチン、キトサン、ヘパラン、ヘパラン硫酸、又はそれらの組合せを含む、請求項１記載の方法。
【請求項３】
基板の複数の位置に均一な数量の哺乳類細胞を配置する方法であって、
（ａ）１タイプ以上のタイプのモノマーを含む第１の溶液中に懸濁された細胞の一連の小滴に静電ポテンシャルを印加すること（ここで、静電ポテンシャルは、それぞれの連続する小滴の表面張力を破壊するのに十分な量である）、
（ｂ）各小滴を、予定数の細胞をカプセル化した構造を作製するのに十分な距離から重合溶液中に落下すること（ここで、作製された各構造は、所定数プラス又はマイナス４０個、あるいはそれ未満の細胞を含む）、及び
（ｃ）各構造を、前記基板のアドレス可能な位置に配置することを含む方法。
【請求項４】
前記第１の溶液が、１種又は複数の多糖を含む、請求項１〜３のいずれか１項記載の方法。
【請求項５】
試験化合物を選択する方法であって、
（ａ）カプセル化細胞を、少なくとも１種の試験化合物と接触させること（ここで、前記所定数のカプセル化細胞は、基板上のアドレス可能な位置に点在されており、約２００μｍ未満の直径を有する構造中にカプセル化されている）、及び
（ｂ）対照と比較して、前記試験化合物に接触させた前記カプセル化細胞の表現型において変化を引き起こす、又は促進する試験化合物を選択することを含む、前記方法。
【請求項６】
前記表現型の変化が、タンパク質合成、ＤＮＡ合成、遺伝子発現、色、形態、サイズ、細胞数、細胞生存率、分泌、又はそれらの組合せにおける変化を含む、請求項５記載の方法。
【請求項７】
前記カプセル化細胞が、例えば分化した間葉細胞、神経細胞、内皮細胞、上皮細胞、筋芽細胞、軟骨細胞、造骨細胞、破骨細胞、骨髄細胞、成体幹細胞、胚性幹細胞、臍帯血細胞、脂肪細胞、脂肪由来幹細胞、線維芽細胞、又はそれらの組合せなどの哺乳類細胞を含む、請求項１〜６のいずれか１項記載の方法。
【請求項８】
前記カプセル化細胞が、少なくとも１種の外来性核酸を含む、請求項１〜７のいずれか１項記載の方法。
【請求項９】
前記構造が、好ましくはポリ−Ｌ−リジン、ポリ−Ｌ−オルニチン、ポリ−Ｌ−アルギニン、ポリ−Ｌ−アスパラギン、ポリ−Ｌ−アスパラギン酸、ポリ−ベンジル−Ｌ−アスパルテート、ポリ−Ｓ−ベンジル−Ｌ−システイン、ポリ−γ−ベンジル−Ｌ−グルタメート、ポリ−Ｓ−ＣＢＺ−Ｌ−システイン、ポリ−ε−ＣＢＺ−Ｄ−リジン、ポリ−δ−ＣＢＺ−ＤＬ−オルニチン、ポリ−Ｏ−ＣＢＺ−Ｌ−セリン、ポリ−Ｏ−ＣＢＺ−Ｄ−チロシン、ポリ（γ−エチル−Ｌ−グルタメート）、ポリ−Ｄ−グルタミン酸、ポリグリシン、ポリ−γ−Ｎ−ヘキシルＬ−グルタメート、ポリ−Ｌ−ヒスチジン、ポリ（α，β−［Ｎ−（２−ヒドロキシエチル）−ＤＬ−アスパルトアミド］）、ポリ−Ｌ−ヒドロキシプロリン、ポリ（α，β−［Ｎ−（３−ヒドロキシプロピル）−ＤＬ−アスパルトアミド］）、ポリ−Ｌ−イソロイシン、ポリ−Ｌ−ロイシン、ポリ−Ｄ−リジン、ポリ−Ｌ−フェニルアラニン、ポリ−Ｌ−プロリン、ポリ−Ｌ−セリン、ポリ−Ｌ−スレオニン、ポリ−ＤＬ−トリプトファン、ポリ−Ｄ−チロシン、又はそれらの組合せからなる群から選択されるポリアミノ酸を含む、請求項１〜８のいずれか１項記載の方法。
【請求項１０】
（ａ）複数のアドレス可能な位置を有する基板、及び
（ｂ）各アドレス可能な位置に配置されたカプセル化細胞のユニットを含む細胞アレイであって、カプセル化細胞の各ユニットが、請求項１〜４、及び７〜９のいずれか１項記載の方法に従って作製される、前記細胞アレイ。
【請求項１１】
治療における使用のための、請求項１、２、４、７、８、及び９のいずれか１項記載の方法に従って得られるカプセル化細胞であって、前記カプセル化細胞が、例えば宿主中に軟骨又は軟骨成分を産生し、かつ／又は、少なくとも１種のカプセル化細胞が組換えポリペプチドを発現し、かつ／又は、少なくとも１種のカプセル化細胞が外来性核酸を含む、前記カプセル化細胞。
【請求項１２】
宿主中の組織を修復する方法における使用のための、請求項１、２、４、７〜９のいずれか１項記載の方法に従って得られるカプセル化細胞であって、前記宿主中の組織を修復する方法が、前記カプセル化細胞を投与することを含み、該カプセル化細胞が前記宿主中に組織又は組織成分を産生し、該カプセル化細胞が、軟骨、平滑筋、皮膚、心臓組織、結合組織、脂肪、又はそれらの成分を産生する、前記カプセル化細胞。
【請求項１３】
複数のアドレス可能な位置を含む基板、
各アドレス可能な位置に存在する、約２００μｍ未満の平均直径を有するカプセル化細胞のユニットを含む細胞アレイであって、各ユニットが所定数プラス又はマイナス４０個、あるいはそれ未満の細胞を含む、前記細胞アレイ。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
以下のステップ：
(１)  乾燥ベータ-セラムを準備し；そして
(２)  当該ベータ-セラムを近臨界二酸化炭素抽出プロセスにかける
を含む中性脂肪除去ベータ-セラム乳製品の製造方法。
【請求項２】
前記ベータ-セラムのラクトース含量が抽出プロセスの前に低減される、請求項１に記載の方法。
【請求項３】
前記ラクトース含量が、限外ろ過により低減される、請求項２に記載の方法。
【請求項４】
前記ベータ-セラムのラクトース含量が、近臨界二酸化炭素ステップの前に(乾燥重量に基づいて)３０％以下に低減される、請求項２又は３に記載の方法。
【請求項５】
前記中性脂肪除去ベータ-セラム乳製品が、リン脂質、スフィンゴリピド、及び糖脂質中に濃縮される、請求項１〜４のいずれか一項に記載の方法。
【請求項６】
前記中性脂肪除去ベータ-セラム乳製品が、およそ：
(ａ)  ５０〜７０％のタンパク質(ＴＮ×６.３８)
(ｂ)  ５〜２５％のリン脂質及び糖脂質、及び
(ｃ)  ０〜１０％の中性脂肪
を含む、請求項５に記載の方法。
【請求項７】
以下のステップ：
(１)乾燥高脂肪低ラクトース乳製品開始物質を準備し；
(２)当該開始物質を近臨界二酸化炭素抽出プロセスにかけて、中性脂肪除去乳製品を生成し、そして
(３)当該脂質除去乳製品を液体ジメチルエーテル抽出プロセスにかけて、脂質濃縮分画及び脂質除去分画を生成する
を含む中性脂肪除去乳製品を製造する方法。
【請求項８】
前記近臨界二酸化炭素圧が、少なくとも７３.２ｂａｒであり、かつ温度が３０４.２〜３７３Ｋの範囲である、請求項１〜７のいずれか一項に記載の方法。
【請求項９】
前記脂質濃縮分画が、少なくとも５０％のリン脂質及び糖脂質を含み、そして実質的に中性脂肪を低減される、請求項７又は８に記載の方法。
【請求項１０】
前記脂質除去分画が、乳脂肪球被膜タンパク質に富み、そして粉末ベースで以下の：
(ａ)  ６５〜７９％のタンパク質(ＴＮ×６.３８)、
(ｂ)  ８〜１２％のラクトース、
(ｃ)  リン脂質を含む５〜１１％の脂肪
を含む、請求項７〜９のいずれか一項に記載の方法。
【請求項１１】
以下のステップ：
(１)１０％未満の水分含量を有する高脂肪低ラクトース乳製品開始物質を準備し；
(２)当該開始物質を液体ジメチルエーテル抽出プロセスにかけて、脂質濃縮分画及び脂質除去分画を生成し、そして
(３)場合により、前記脂質濃縮分画を、近臨界二酸化炭素抽出プロセスにかけて、中性脂肪除去分画を生成する
を含む、脂質濃縮分画及び脂質除去分画の製造方法。
【請求項１２】
前記ジメチルエーテルが液化され、そして抽出温度において少なくとも蒸気圧に等しい圧力に加圧される、請求項７〜１１のいずれか一項に記載の方法。
【請求項１３】
前記ジメチルエーテルの温度が、２７３〜３７３Ｋの範囲である、請求項７〜１２のいずれか一項に記載の方法。
【請求項１４】
前記高脂肪低ラクトース乳製品開始物質が、固形分の１０％(ｗ/ｗ)を超える脂肪を含む、請求項７〜１３のいずれか一項に記載の方法。
【請求項１５】
前記高脂肪低ラクトース乳製品開始物質のラクトース含量が、(乾燥重量ベースで)３０％以下である、請求項７〜１４のいずれか一項に記載の方法。
【請求項１６】
前記高脂肪低ラクトース乳製品開始物質のラクトース含量が、抽出プロセス前に低減される、請求項１１〜１５のいずれか一項に記載の方法。
【請求項１７】
前記ラクトース含量が、限外ろ過により低減される、請求項１６に記載の方法。
【請求項１８】
前記高脂肪低ラクトース乳製品開始物質がラクトース低減ベータ-セラム又はラクトース低減バターミルクである、請求項７〜１７のいずれか一項に記載の方法。
【請求項１９】
前記高脂肪低ラクトース乳製品開始物質が、液体ジメチルエーテル抽出ステップの前にスプレー乾燥、凍結乾燥、又は吸引乾燥される、請求項７〜１８のいずれか一項に記載の方法。
【請求項２０】
前記脂質濃縮分画が、少なくとも４０％のリン脂質及び糖脂質を含む、請求項１１〜１９のいずれか一項に記載の方法。
【請求項２１】
前記脂質濃縮分画が、３５〜４５％のリン脂質を含む、請求項１１〜２０のいずれか一項に記載の方法。
【請求項２２】
前記脂質除去分画が、乳脂肪球被膜タンパク質に富み、そして粉末ベースで以下の：  
(ａ)  ６０〜８０％のタンパク質(ＴＮ×６.３８)、
(ｂ)  ６〜１２％のラクトース、及び
(ｃ)  リン脂質を含む５〜１１％の脂肪
を含む、請求項１１〜２１のいずれか一項に記載の方法。
【請求項２３】
請求項１〜２２のいずれか一項に記載の方法により産生される製品。
【請求項２４】
以下のおよそ：
(ａ)  ５０〜７０％のタンパク質(ＴＮ×６.３８)
(ｂ)  ５〜２５％のリン脂質及び糖脂質、及び
(ｃ)  ０〜１０％の中性脂肪
を含む、リン脂質、スフィンゴリピド及び糖脂質に富む中性脂肪除去ベータセラム乳製品。
【請求項２５】
８０〜９０％脂肪及び少なくとも５０％のリン脂質及び糖脂質を含み、そして実質的に中性脂肪を低減された、脂質濃縮乳製品。
【請求項２６】
３５〜４５％リン脂質及び糖脂質を含む脂質濃縮乳製品。
【請求項２７】
乳脂肪球被膜タンパク質に富み、かつ以下の：
(ａ)  ６０〜８０％のタンパク質(ＴＮ×６.３８)、
(ｂ)  ６〜１２％のラクトース、及び
(ｃ)  リン脂質を含む５〜１１％の脂肪
を含む、脂質除去乳製品。
【請求項２８】
請求項２３〜２７のいずれか１項に記載の製品を含む、組成物。
【請求項２９】
請求項２３〜２７のいずれか１項に記載の製品又はベータセラムを含む、乳児用調製粉乳。
【請求項３０】
極性脂質に富むか又は中性脂肪を欠くベータセラム、或いはその両方であるベータセラムから取得される分画を成分として含む乳児用調製粉乳。
【請求項３１】
以下の：
(ａ)  ３０〜６０％のラクトース
(ｂ)  １５〜３５％の植物油
(ｃ)  ０〜４０％のスキムミルク粉末
(ｄ)  ０〜４０％の乳清タンパク質濃縮物
(ｅ)  １〜５０％の請求項２３〜２７のいずれか１項に記載の製品、ベータセラム粉末、又は極性脂質に富むか若しくは中性脂肪を欠くベータ-セラム又はその両方から得られる分画
を含む、請求項２９又は３０に記載の乳児用調製粉乳。
【請求項３２】
腸の成熟を亢進し、感染リスクを低減し、腸内細菌叢を改善し、そして競合的に抗原に結合し、感染を予防し、アレルギーの発達を予防し、神経の発達を最適化し、皮膚病変を治療し、免疫系の発達を最適化し、最適免疫機能を維持し、又は大腸癌を予防又は治療するための、請求項２３〜２７のいずれか一項に記載の製品、請求項２８に記載の組成物、又は請求項２９〜３１のいずれか一項に記載の乳児用調製粉乳。
【請求項３３】
腸の成熟を亢進し、感染リスクを低減し、腸内細菌叢を改善し、そして競合的に抗原に結合し、感染を予防し、アレルギーの発達を予防し、神経の発達を最適化し、皮膚病変を治療し、免疫系の発達を最適化し、最適免疫機能を維持し、又は大腸癌を予防又は治療するための医薬の製造のための、請求項２３〜２７のいずれか一項に記載の製品、請求項２８に記載の組成物、又は請求項２９〜３１のいずれか一項に記載の乳児用調製粉乳の使用。
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
膨張可能なエアバッグと、
上記膨張可能なエアバッグ上に配置されると共に該エアバッグに配置された開孔を包囲する把持管と、
上記把持管に結合されると共に該把持管の周縁部の大部分周りに延在する把持コードであって、膨張可能なエアバッグが障害のある状態で展開するときには該把持コードは完全には延びず且つ上記把持管は開いたままにされ、且つ膨張可能なエアバッグが障害の無い状態で展開するときには該把持コードは延びて上記把持管を少なくとも部分的に閉鎖するように上記エアバッグの表面に対して更に結合される把持コードとを具備する、エアバッグ・クッション。
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
チルトキャブを持つ自動車等のための、流体圧式キャブチルト機構（２）を、駆動するための流体ポンプユニット（１）であって、
・ケーシング（３）と；該ケーシングは、流体圧式キャブチルト機構に接続するための少なくともの２つの接続ポート（４、５）を持っていると共に、流体圧フルード（７）の貯留槽（６）と、前記貯留槽に接続され、流体圧式キャブチルト機構を動作させるために必要な作動圧力下で流体圧フルードを前記接続ポート（４、５）に送出可能な流体ポンプ（８）とを備えており、
・流体回路（９）と；該流体回路は、前記ケーシング（３）内に配置され、前記接続ポート（４、５）、前記流体ポンプ（８）、および前記貯留槽（６）に接続されており、
・流体制御バルブ（１０）と；該流体制御バルブは、前記流体回路内の前記流体ポンプ（８）と前記接続ポート（４、５）との間に配置され、少なくとも２つのバルブ位置を持っており、当該２つのバルブ位置はそれぞれ、キャブの運転位置からのチルトアウトと、運転位置へのチルトバックとに対応している、
を有し、
前記流体回路は、機械的に操作可能な遮断手段（１１）をさらに備えており、該遮断手段は、閉じられた状態において、前記流体圧式キャブチルト機構を動作させるための、該流体圧式キャブチルト機構への作動圧力下の流体圧フルード（７）の流れを遮断し、
前記機械的に操作可能な遮断手段（１１）はまた、ボールと、機械式ロックの一部と協働する移動可能なピン（１２）とを有する流体ポンプユニットにおいて、
前記機械式ロックは、前記流体ポンプユニットの前記ケーシング（３）とは個別のハウジング（２１）に配置され、前記ピン（１２）は、前記機械式ロックの該ハウジング（２１）と前記流体ポンプユニットの前記ケーシング（３）との間に設けられ、
前記機械式ロックはまた、該機械式ロックの前記ハウジング（２１）の外表面に配置された鍵孔によって受容可能な鍵を用いて操作可能であることを特徴とする流体圧式キャブチルト機構用流体ポンプユニット。
【請求項２】
前記機械的に操作可能な遮断手段（１１）は、前記貯留槽（６）への前記流体回路の支線を遮断可能である一方、閉じられた状態において、該支線を解放し、これによって、前記作動圧力未満下の流体圧フルード（７）が前記２つの接続ポート（４、５）に送出される請求項１に記載の流体圧式キャブチルト機構用流体ポンプユニット。
【請求項３】
前記流体回路の前記支線は、前記流体ポンプ（８）と前記流体制御バルブ（１０）との間に配置される請求項２に記載の流体圧式キャブチルト機構用流体ポンプユニット。
【請求項４】
前記機械的に操作可能な遮断手段（１１）は、閉じられた状態において、前記流体ポンプ（８）から両前記接続ポート（４、５）への流体圧フルード（７）の供給を阻止する請求項１に記載の流体圧式キャブチルト機構用流体ポンプユニット。
【請求項５】
前記機械的に操作可能な遮断手段（１１）は、前記流体回路中の前記流体ポンプ（８）と前記流体制御バルブ（１０）との間に用いられる請求項４に記載の流体圧式キャブチルト機構用流体ポンプユニット。
【請求項６】
前記機械的に操作可能な遮断手段（１１）は、閉じられた状態において、少なくとも１つの接続ポートに沿った流体圧フルードの流れを阻止する請求項１に記載の流体圧式キャブチルト機構用流体ポンプユニット。
【請求項７】
請求項１乃至６のいずれか１つに記載の前記流体ポンプユニットによって駆動されることを特徴とする流体圧式キャブチルト機構。
【請求項８】
請求項１乃至６のいずれか１つに記載の前記流体ポンプユニットを備えた流体圧式キャブチルト機構を持つことを特徴とする自動車。
【手続補正書】
【提出日】平成20年7月18日(2008.7.18)
【手続補正１】
【補正対象書類名】特許請求の範囲
【補正対象項目名】請求項６
【補正方法】変更
【補正の内容】
【請求項６】
以下の工程；
−ハイブリドーマを得るために、請求項２に記載のペプチド配列の注射による免疫動物、特にヒトでないあらかじめ免疫した動物の脾臓細胞と、動物、特にヒトでない動物、のミエローマとを融合する工程、
−この様にして得られたハイブリドーマを培養する工程、
−前記工程において得られ、そして請求項２に記載のペプチド配列に対する抗体を分泌するハイブリドーマから選択されたハイブリドーマのクローニングによる回収及び精製の工程、
を含むことを特徴とする、特に請求項２で定義された配列番号２のペプチド配列に対する、請求項４のモノクローナル抗体の製造方法。
【手続補正２】
【補正対象書類名】特許請求の範囲
【補正対象項目名】請求項１０
【補正方法】変更
【補正の内容】
【請求項１０】
培養細胞からの、又は健常若しくは癌組織の切片からの、請求項１〜３のいずれか一項に記載のペプチド配列を発現する有糸分裂細胞のｉｎ  ｖｉｔｒｏ検出用方法を実施するための、請求項４又は５に記載の抗体の使用。
【手続補正３】
【補正対象書類名】明細書
【補正対象項目名】００１７
【補正方法】変更
【補正の内容】
【００１７】
本発明は、以下の工程；
−ハイブリドーマを得るために、前記定義されたペプチド配列の注射による免疫動物、特にヒトでないあらかじめ免疫した動物の脾臓細胞と、動物、特にヒトでない動物、のミエローマとを融合する工程、
−この様にして得られたハイブリドーマを培養する工程、
−前記工程において得られ、そして前記定義されたペプチド配列に対する抗体を分泌するハイブリドーマから選択されたハイブリドーマのクローニングによる回収及び精製の工程、
を含むことを特徴とする、特に前記定義された配列番号２のペプチド配列に対する、前記定義されたモノクローナル抗体の製造方法に関する。
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
哺乳類の眼の中でのドルーゼンの形成を減少させるための組成物であって、該組成物は、
ａ．有効量の、以下の構造：
【化４】
2008515778.tif 000001
ここで、Ｘ１は、ＮＲ２、Ｏ、Ｓ、ＣＨＲ２からなる群から選択され；Ｒ１は、（ＣＨＲ２）ｘ−Ｌ１−Ｒ３であって、ここで、ｘは、０、１、２または３であり；Ｌ１は単結合または−Ｃ（Ｏ）−であり；Ｒ２は、Ｈ、（Ｃ１−Ｃ４）アルキル、Ｆ、（Ｃ１−Ｃ４）フルオロアルキル、（Ｃ１−Ｃ４）アルコキシ、−Ｃ（Ｏ）ＯＨ、−Ｃ（Ｏ）−ＮＨ２、−（Ｃ１−Ｃ４）アルキルアミン、−Ｃ（Ｏ）−（Ｃ１−Ｃ４）アルキル、−Ｃ（Ｏ）−（Ｃ１−Ｃ４）フルオロアルキル、−Ｃ（Ｏ）−（Ｃ１−Ｃ４）アルキルアミンおよび−Ｃ（Ｏ）−（Ｃ１−Ｃ４）アルコキシからなる群から選択される部分であり；Ｒ３は、Ｈであるか、または（Ｃ２−Ｃ７）アルケニル、（Ｃ２−Ｃ７）アルキニル、アリール、（Ｃ３−Ｃ７）シクロアルキル、（Ｃ５−Ｃ７）シクロアルケニルおよび複素環からなる群から独立して選択される１〜３個の置換基で必要に応じて置換される部分である、構造を有する第１薬剤、あるいはその活性代謝物、または薬学的に受容可能なプロドラッグもしくは溶媒和物を含み、ここで該組成物は、
ｂ．有効量の、抗酸化剤、鉱物、一酸化窒素産生の誘発物質、抗炎症剤、負荷電リン脂質、１３−シス−レチノイン酸の異性体、およびこれらの誘導体からなる群から選択される薬剤を含有する第２薬剤を含む組成物と組み合わせて投与することが意図される、組成物。
【請求項２】
哺乳類の眼の中での黄斑変性を処置するための組成物であって、該組成物は、
ａ．有効量の、以下の構造：
【化５】
2008515778.tif 000002
ここで、Ｘ１は、ＮＲ２、Ｏ、Ｓ、ＣＨＲ２からなる群から選択され；Ｒ１は、（ＣＨＲ２）ｘ−Ｌ１−Ｒ３であって、ここで、ｘは、０、１、２または３であり；Ｌ１は単結合または−Ｃ（Ｏ）−であり；Ｒ２は、Ｈ、（Ｃ１−Ｃ４）アルキル、Ｆ、（Ｃ１−Ｃ４）フルオロアルキル、（Ｃ１−Ｃ４）アルコキシ、−Ｃ（Ｏ）ＯＨ、−Ｃ（Ｏ）−ＮＨ２、−（Ｃ１−Ｃ４）アルキルアミン、−Ｃ（Ｏ）−（Ｃ１−Ｃ４）アルキル、−Ｃ（Ｏ）−（Ｃ１−Ｃ４）フルオロアルキル、−Ｃ（Ｏ）−（Ｃ１−Ｃ４）アルキルアミンおよび−Ｃ（Ｏ）−（Ｃ１−Ｃ４）アルコキシからなる群から選択される部分であり；Ｒ３は、Ｈであるか、または（Ｃ２−Ｃ７）アルケニル、（Ｃ２−Ｃ７）アルキニル、アリール、（Ｃ３−Ｃ７）シクロアルキル、（Ｃ５−Ｃ７）シクロアルケニルおよび複素環からなる群から独立して選択される１〜３個の置換基で必要に応じて置換される部分である、構造を有する第１薬剤、あるいはその活性代謝物、または薬学的に受容可能なプロドラッグもしくは溶媒和物を含み、ここで該組成物は、
ｂ．有効量の、抗酸化剤、鉱物、一酸化窒素産生の誘発物質、抗炎症剤、負荷電リン脂質、１３−シス−レチノイン酸の異性体、およびこれらの誘導体からなる群から選択される薬剤を含有する第２薬剤を含む組成物と組み合わせて投与することが意図される、組成物。
【請求項３】
前記黄斑変性が、乾性加齢性黄斑変性である、請求項２に記載の組成物。
【請求項４】
前記有効量の前記第１薬剤が、前記哺乳類への全身投与に適している、請求項１または請求項２に記載の組成物。
【請求項５】
前記第２薬剤が抗酸化剤を含有する、請求項１または請求項２に記載の組成物。
【請求項６】
前記抗酸化剤が、コエンザイムＱ、４−ヒドロキシ−２，２，６，６−テトラメチルピペラジン−Ｎ−オキシル、ルテイン、ブチル化ヒドロキシトルエン、レスベラトロール、トロロクスアナログ、およびビルベリー抽出液からなる群から選択される、請求項５に記載の組成物。
【請求項７】
前記第２薬剤が、鉱物を含有する、請求項１または請求項２に記載の組成物。
【請求項８】
前記鉱物が、銅含有鉱物、亜鉛含有鉱物、およびセレン含有化合物からなる群から選択される、請求項７に記載の組成物。
【請求項９】
前記第２薬剤が、一酸化窒素産生の誘発物質を含有する、請求項１または請求項２に記載の組成物。
【請求項１０】
前記一酸化窒素産生の誘発物質がスタチンである、請求項９に記載の組成物。
【請求項１１】
前記第２薬剤が、追加の抗炎症剤である、請求項１または請求項２に記載の組成物。
【請求項１２】
前記第２薬剤が、負荷電リン脂質である、請求項１または請求項２に記載の組成物。
【請求項１３】
前記負荷電リン脂質が、ホスファチジルグリセロール、ルテインおよびゼアキサンチンからなる群から選択される、請求項１２に記載の組成物。
【請求項１４】
前記第２薬剤が、１３−シス−レチノイン酸の異性体の誘導体である、請求項１または請求項２に記載の組成物。
【請求項１５】
哺乳類の眼の中での網膜着色上皮および光受容体の萎縮を処置するための組成物であって、該組成物は、
ａ．有効量の、以下の構造：
【化６】
2008515778.tif 000003
ここで、Ｘ１は、ＮＲ２、Ｏ、Ｓ、ＣＨＲ２からなる群から選択され；Ｒ１は、（ＣＨＲ２）ｘ−Ｌ１−Ｒ３であって、ここで、ｘは、０、１、２または３であり；Ｌ１は単結合または−Ｃ（Ｏ）−であり；Ｒ２は、Ｈ、（Ｃ１−Ｃ４）アルキル、Ｆ、（Ｃ１−Ｃ４）フルオロアルキル、（Ｃ１−Ｃ４）アルコキシ、−Ｃ（Ｏ）ＯＨ、−Ｃ（Ｏ）−ＮＨ２、−（Ｃ１−Ｃ４）アルキルアミン、−Ｃ（Ｏ）−（Ｃ１−Ｃ４）アルキル、−Ｃ（Ｏ）−（Ｃ１−Ｃ４）フルオロアルキル、−Ｃ（Ｏ）−（Ｃ１−Ｃ４）アルキルアミンおよび−Ｃ（Ｏ）−（Ｃ１−Ｃ４）アルコキシからなる群から選択される部分であり；Ｒ３は、Ｈであるか、または（Ｃ２−Ｃ７）アルケニル、（Ｃ２−Ｃ７）アルキニル、アリール、（Ｃ３−Ｃ７）シクロアルキル、（Ｃ５−Ｃ７）シクロアルケニルおよび複素環からなる群から独立して選択される１〜３個の置換基で必要に応じて置換される部分である、構造を有する第１薬剤、あるいはその活性代謝物、または薬学的に受容可能なプロドラッグもしくは溶媒和物を含み、ここで該組成物は、
ｂ．有効量の、抗酸化剤、鉱物、一酸化窒素産生の誘発物質、抗炎症剤、負荷電リン脂質、１３−シス−レチノイン酸の異性体、およびこれらの誘導体からなる群から選択される薬剤を含有する第２薬剤を含む組成物と組み合わせて投与することが意図される、組成物。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
不活性の非エラストマー系高分子材料からなる収集リング（７０）を有する吸入器用バルブ（３０）であって、
前記収集リング（７０）の少なくとも１つの環状部（１１０、１４０、１６０、１８０）が半径方向に変形可能であるように形成されていることを特徴とする吸入器用バルブ（３０）。
【請求項２】
前記変形可能な環状部（１１０）が、前記収集リング（７０）の内周に位置していることを特徴とする請求項１に記載の吸入器用バルブ（３０）。
【請求項３】
前記変形可能な環状部（１６０、１８０）が、前記収集リング（７０）の外周に位置していることを特徴とする請求項１に記載の吸入器用バルブ（３０）。
【請求項４】
前記変形可能な環状部（１４０）が、内側の堅い部分（１５０）と外側の堅い部分（１７０）との中間位置に位置していることを特徴とする請求項１に記載の吸入器用バルブ（３０）。
【請求項５】
前記変形可能な環状部（１１０）が、傾斜フランジ（１２０）であることを特徴とする請求項２に記載の吸入器用バルブ（３０）。
【請求項６】
前記変形可能な環状部が、前記収集リング（７０）の外周にある多数の円周溝（１８０）により形成されていることを特徴とする請求項３に記載の吸入器用バルブ（３０）。
【請求項７】
前記変形可能な環状部が、前記収集リング（７０）の外周にある発泡部分（１６０）により形成されていることを特徴とする請求項３に記載の吸入器用バルブ（３０）。
【請求項８】
前記中間の変形可能な環状部が、前記収集リングの半径方向に薄肉の部分（１４０）により形成されていることを特徴とする請求項４に記載の吸入器用バルブ（３０）。
【請求項９】
前記収集リングが、アセタール、ポリアミド、ポリカーボネート、ポリエステル、過フッ化炭化水素高分子、ポリブチルテレフタレートおよびポリエチレンからなるグループ内の１つの材料、あるいは前記グループ内の材料の組み合わせから作られることを特徴とする請求項１から８のいずれか一項に記載の吸入器用バルブ（３０）。
【請求項１０】
請求項１から９のいずれか一項に記載の吸入器用バルブ（３０）を備えていることを特徴とする吸入器容器（１０）。
【請求項１１】
図３に示す吸入器用バルブを備えた吸入器容器により薬剤を患者に投与して治療することを特徴とする治療方法。